(57)【要約】【課題】構成部品の部品点数が多いなどの従来の技術における種々の問題点を解決することのできる基板の固定構造を提供する。【解決手段】ベース基板に対して立ち基板を固定する基板の固定構造において、上面部に凹凸構造を備えた立ち基板と、立ち基板の凹凸構造と嵌合する溝部を形成した支持板部と支持板部の下方側に連接された柱部とを備えた支柱とを有し、立ち基板を支柱の柱部に沿わせて配置するとともに、立ち基板の凹凸構造と支柱の支持板部に形成された溝部とを嵌合させ、支柱をベース基板に固定することによりベース基板に対して立ち基板を固定するようにした。【選択図】        図４
2019192798.tif 000002
【特許請求の範囲】
【請求項１】
ベース基板に対して立ち基板を固定する基板の固定構造において、
上面部に凹凸構造を備えた立ち基板と、
前記立ち基板の前記凹凸構造と嵌合する溝部を形成した支持板部と前記支持板部の下方側に連接された柱部とを備えた支柱と
を有し、
前記立ち基板を前記支柱の前記柱部に沿わせて配置するとともに、前記立ち基板の前記凹凸構造と前記支柱の前記支持板部に形成された前記溝部とを嵌合させ、前記支柱をベース基板に固定することにより前記ベース基板に対して立ち基板を固定する
ことを特徴とする基板の固定構造。
【請求項２】
請求項１に記載の基板の固定構造において、
前記凹凸構造は前記立ち基板の前記上面部おける両端部に形成された
ことを特徴とする基板の固定構造。
【請求項３】
請求項２に記載の基板の固定構造において、
４枚の前記立ち基板を備え、
４本の前記支柱を備え、
前記支柱の前記支持板部に形成された前記溝部は、直交して配置された第１の溝部と第２の溝部とよりなり、
隣接配置された２枚の前記立ち基板について、一方の前記立ち基板の凹凸構造を１本の前記支柱の前記支持板部に形成された前記第１の溝部に嵌合させるとともに、他方の前記立ち基板の凹凸構造を前記１本の前記支柱の前記支持板部に形成された前記第２の溝部に嵌合させるようにして、前記４枚の前記立ち基板と前記４本の前記支柱とを互いに嵌合させてロ字形状の構造体を形成する
ことを特徴とする基板の固定構造。
【請求項４】
請求項３に記載の基板の固定構造において、
４枚の前記立ち基板は同形状であり、
４本の前記支柱は同形状である
ことを特徴とする基板の固定構造。
【請求項５】
請求項１、２、３または４のいずれか１項に記載の基板の固定構造において、
前記支柱の前記柱部の前記立ち基板が沿う面は平坦面である
ことを特徴とする基板の固定構造。
【請求項６】
請求項１、２、３、４または５のいずれか１項に記載の基板の固定構造において、
前記立ち基板はアンテナ基板である
ことを特徴とする基板の固定構造。
【発明の詳細な説明】
【技術分野】
【０００１】
本発明は、基板の固定構造に関する。さらに詳細には、本発明は、ベース基板に対して立ち基板を略垂直に固定する際に用いて好適な基板の固定構造に関する。
【背景技術】
【０００２】
従来より、多周波受信アンテナにおける４枚のアンテナ基板などの立ち基板をベース基板上に略垂直に起立させて固定するための基板の固定構造として、例えば、図１および図２を参照しながら以下に説明する基板の固定構造が知られている。
【０００３】
ここで、図１には、従来の基板の固定構造を備えた多周波受信アンテナを示す構成説明図があらわされている。また、図２には、図１に示す従来の基板の固定構造を備えた多周波受信アンテナを示す分解構成説明図があらわされている。
【０００４】
従来の基板の固定構造により多周波受信アンテナ１００を構築するには、まず、ケース１０２の上面１０２ａにベース基板締結ネジ１０４により固定されたベース基板１０６上に、位置決めジグとしてアンテナ基板位置決めブロックジグ１０８を配置する。
【０００５】
なお、アンテナ基板位置決めブロックジグ１０８は略直方体形状を備えており、当該略直方体形状の底面部から略垂直に立ち上がる４つの辺の領域は、略円筒形のスペーサ１１０−１、１１０−２、１１０−３、１１０−４のそれぞれの外周面１１０ａを当該略円筒形の軸方向に沿って配置可能な形状の凹溝１０８ｅ−１、１０８ｅ−２、１０８ｅ−３、１０８ｅ−４に形成されている。
【０００６】
ベース基板１０６上にアンテナ基板位置決めブロックジグ１０８を配置した後に、アンテナ基板位置決めブロックジグ１０８における底面部から略垂直に立ち上がる４つの側面１０８ａ、１０８ｂ、１０８ｃ、１０８ｄのそれぞれに、立ち基板である４枚のアンテナ基板１１２−１、１１２−２、１１２−３、１１２−４を沿わせて配置し、４枚のアンテナ基板１１２−１、１１２−２、１１２−３、１１２−４とベース基板１０６とを連結して固定する。
【０００７】
また、アンテナ基板位置決めブロックジグ１０８の４つの凹溝１０８ｅ−１、１０８ｅ−２、１０８ｅ−３、１０８ｅ−４のそれぞれに、４つのスペーサ１１０−１、１１０−２、１１０−３、１１０−４のそれぞれの外周面１１０ａを沿わせて配置し、４つのスペーサ１１０−１、１１０−２、１１０−３、１１０−４の下部にそれぞれ形成されたネジ溝（図示せず。）にケース１０２の下方からスペーサ締結ネジ１１４をそれぞれねじ込み、４つのスペーサ１１０−１、１１０−２、１１０−３、１１０−４とケース１０２およびベース基板１０６とをスペーサ締結ネジ１１４により固定する。
【０００８】
その後に、ベース基板１０６上からアンテナ基板位置決めブロックジグ１０８を取り外し、上方から受けカバー１１６を４枚のアンテナ基板１１２−１、１１２−２、１１２−３、１１２−４および４つのスペーサ１１０−１、１１０−２、１１０−３、１１０−４を被覆するようにして被せ、４つのスペーサ１１０−１、１１０−２、１１０−３、１１０−４の上部にそれぞれ形成されたネジ溝（図示せず。）に受けカバー１１６の上方から受けカバー締結ネジ１１８をそれぞれねじ込み、受けカバー１１６と４つのスペーサ１１０−１、１１０−２、１１０−３、１１０−４とを受けカバー締結ネジ１１８により固定する。
【０００９】
なお、符号１２０は、受けカバー締結ネジ１１８を挿通するために受けカバー１１６に設けられた貫通孔である。
【００１０】
また、符号１２２は、スペーサ締結ネジ１１４を挿通するためにベース基板１０６およびケース１０２に設けられた貫通孔である。
【００１１】
即ち、従来の基板の固定構造においては、ベース基板１１６上に４枚のアンテナ基板１１２−１、１１２−２、１１２−３、１１２−４を起立させて組み立てるためには、アンテナ基板位置決めブロックジグ１０８、スペーサ１１０−１、１１０−２、１１０−３、１１０−４、受けカバー１１６、スペーサ締結ネジ１１４ならびに受けカバー締結ネジ１１８などを用いて組み立てる必要があった。
【００１２】
つまり、従来の基板の固定構造によれば、ベース基板上に４枚の起立した立ち基板を略同時に組み立てて略垂直に固定するには、スペーサや受けカバーなどの各種の構成部品が必要であって、また、ベース基板上に立ち基板を位置決めするためには、取り外し自在の位置決めジグを使用しなければならないものであった。
【００１３】
このため、従来の基板の固定構造は、
ａ：構成部品の部品点数が多い構造である
ｂ：構成部品の部品形状が複雑である
ｃ：締結ネジの使用数量が多い
ｄ：締結ネジの締め付けトルクを管理する箇所が多く検査工数が増加する
ｅ：立ち基板の露出面積が少ない
ｆ：位置決めジグが必要である
などという種々の問題点があった。
【００１４】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００１５】
本発明は、上記した構成部品の部品点数が多いなどの従来の技術における種々の問題点に鑑みてなされたものであり、その目的とするところは、上記した構成部品の部品点数が多いなどの従来の技術における種々の問題点を解決することのできる基板の固定構造を提供しようとするものである。
【課題を解決するための手段】
【００１６】
上記目的を達成するために、本発明は、立ち基板と嵌合する支柱を用いて当該立ち基板をベース基板上に位置決めして固定するようにしたものである。
【００１７】
従って、本発明によれば、上記した構成部品の部品点数が多いなどの従来の技術における種々の問題点を解決することができるようになる。
【００１８】
即ち、本発明は、ベース基板に対して立ち基板を固定する基板の固定構造において、上面部に凹凸構造を備えた立ち基板と、上記立ち基板の上記凹凸構造と嵌合する溝部を形成した支持板部と上記支持板部の下方側に連接された柱部とを備えた支柱とを有し、上記立ち基板を上記支柱の上記柱部に沿わせて配置するとともに、上記立ち基板の上記凹凸構造と上記支柱の上記支持板部に形成された上記溝部とを嵌合させ、上記支柱をベース基板に固定することにより上記ベース基板に対して立ち基板を固定するようにしたものである。
【００１９】
また、本発明は、上記した本発明において、上記凹凸構造は上記立ち基板の上記上面部おける両端部に形成されるようにしたものである。
【００２０】
また、本発明は、上記した本発明において、４枚の上記立ち基板を備え、４本の上記支柱を備え、上記支柱の上記支持板部に形成された上記溝部は、直交して配置された第１の溝部と第２の溝部とよりなり、隣接配置された２枚の上記立ち基板について、一方の上記立ち基板の凹凸構造を１本の上記支柱の上記支持板部に形成された上記第１の溝部に嵌合させるとともに、他方の上記立ち基板の凹凸構造を上記１本の上記支柱の上記支持板部に形成された上記第２の溝部に嵌合させるようにして、上記４枚の上記立ち基板と上記４本の上記支柱とを互いに嵌合させてロ字形状の構造体を形成するようにしたものである。
【００２１】
また、本発明は、上記した本発明において、４枚の上記立ち基板は同形状であり、４本の上記支柱は同形状であるようにしたものである。
【００２２】
また、本発明は、上記した本発明において、上記支柱の上記柱部の上記立ち基板が沿う面は平坦面であるようにしたものである。
【００２３】
また、本発明は、上記した本発明において、上記立ち基板はアンテナ基板であるようにしたものである。
【発明の効果】
【００２４】
本発明は、以上説明したように構成されているので、上記した構成部品の部品点数が多いなどの従来の技術における種々の問題点を解決することができるという優れた効果を奏する。
【００２５】
具体的には、本発明によれば、
ａ：構成部品の部品点数の削減を図ることができる
ｂ：構成部品の部品形状の単純化（シンプル化）を図ることができる
ｃ：締結ネジの使用数量を削減することができる
ｄ：締結ネジの締め付けトルクを管理する箇所が低減され検査工数の低減を図ること        ができる
ｅ：立ち基板の露出面積の拡大を図ることができる
ｆ：位置決めジグが不要になる
などという優れた効果が奏される。
【図面の簡単な説明】
【００２６】
【図１】図１は、従来の基板の固定構造を備えた多周波受信アンテナを示す構成説明図である。
【図２】図２は、図１に示す従来の基板の固定構造を備えた多周波受信アンテナを示す分解構成説明図である。
【図３】図３は、本発明による基板の固定構造の実施の形態の一例を備えた多周波受信アンテナを示す構成説明図である。
【図４】図４は、図３に示す本発明による基板の固定構造の実施の形態の一例を備えた多周波受信アンテナを示す分解構成説明図である。
【図５】図５（ａ）（ｂ）は、本発明による基板の固定構造の実施の形態の一例を備えた多周波受信アンテナにおける支柱と立ち基板たるアンテナ基板との係合関係を示す要部拡大説明図である。図５（ａ）は、立ち基板たるアンテナ基板の凹凸構造を示す。図５（ｂ）は、立ち基板たるアンテナ基板の凹凸構造に支柱が嵌合した状態を示す。
【発明を実施するための形態】
【００２７】
以下、添付の図面を参照しながら、本発明による基板の固定構造の実施の形態の一例を詳細に説明するものとする。
【００２８】
なお、以下の「発明を実施するための形態」の項の説明においては、図１ならびに図２の各図を参照しながら説明した構成ならびに作用と同一あるいは相当する構成ならびに作用については、図１ならびに図２において用いた符号と同一の符号をそれぞれ付して示すことにより、その詳細な構成ならびに作用の説明は省略する。
【００２９】
ここで、図３には、本発明による基板の固定構造の実施の形態の一例を備えた多周波受信アンテナを示す構成説明図があらわされている。また、図４には、図３に示す本発明による基板の固定構造の実施の形態の一例を備えた多周波受信アンテナを示す分解構成説明図があらわされている。また、図５（ａ）（ｂ）には、本発明による基板の固定構造の実施の形態の一例を備えた多周波受信アンテナにおける支柱と立ち基板たるアンテナ基板との係合関係を示す要部拡大説明図があらわされている。なお、図５（ａ）は立ち基板たるアンテナ基板の凹凸構造を示しており、図５（ｂ）は立ち基板たるアンテナ基板の凹凸構造に支柱が嵌合した状態を示している。
【００３０】
以下に説明するように、本発明による基板の固定構造の実施の形態の一例によれば、立ち基板たる多周波受信アンテナにおける４枚の起立したアンテナ基板を、簡潔な手法によりベース基板上に略同時に組み立てて略垂直に固定することができるようになる。
【００３１】
即ち、本発明の実施の形態の一例による基板の固定構造は、多周波受信アンテナ１０を構成する立ち基板たる４枚のアンテナ基板１２−１、１２−２、１２−３、１２−４を同一の形状に構成している。
【００３２】
これら４枚のアンテナ基板１２−１、１２−２、１２−３、１２−４は、略長方形状の板状部材により形成されている。
【００３３】
４枚のアンテナ基板１２−１、１２−２、１２−３、１２−４のそれぞれの上面部１２ａの両側端部には、凹部１２ｂがそれぞれ形成されている。この一対の凹部１２ｂは、上面部１２ａの側端部からそれぞれ同一の距離だけ離隔した位置に形成されている。
【００３４】
アンテナ基板１２の上面部１２ａにおける凹部１２ｂと側端部との間の凸部１２ｃは、後述する支柱１４−１、１４−２、１４−３、１４−４にぞれぞれ形成された溝部１６が嵌合する部位となる。
【００３５】
上記したアンテナ基板１２−１、１２−２、１２−３、１２−４の上面部１２ａにそれぞれ設けられた凹部１２ｂと凸部１２ｃとにより、アンテナ基板１２−１、１２−２、１２−３、１２−４の上面部１２ａに凹凸構造が形成されている。
【００３６】
また、本発明の実施の形態の一例による基板の固定構造は、立ち基板たる４枚のアンテナ基板１２−１、１２−２、１２−３、１２−４を保持する４本の支柱１４−１、１４−２、１４−３、１４−４を同一の形状に構成している。
【００３７】
支柱１４−１、１４−２、１４−３、１４−４は、アンテナ基板１２−１、１２−２、１２−３、１２−４の高さＨと略同一の長さを備えた柱部１４ａと、柱部１４ａの上面において当該柱部１４ａの軸方向と直交する平面方向に延長して形成された支持板部１４ｂとを有して構成されている。即ち、支柱１４−１、１４−２、１４−３、１４−４において、支持板部１４ｂの下方側に高さＨと略同一の長さを備えた柱部１４ａが連接されることになる。
【００３８】
また、支持板部１４ｂには、４枚のアンテナ基板１２−１、１２−２、１２−３、１２−４をロ字形状に組み付けた際に（特に、図４を参照する。）、互いに隣接するアンテナ基板１２の凸部１２ｃがそれぞれ嵌合するＬ字形状の溝部１６が形成されている。この溝部１６は、第１溝部１６ａと第２溝部１６ｂとが直交して連接することによりＬ字形状に形成されている（特に、図５（ｂ）を参照する。）。
【００３９】
従って、図５（ａ）（ｂ）に示すように、互いに隣接する一方のアンテナ基板１２−１の凸部１２ｃを支柱１４−１の支持板部１４ｂに形成された溝部１６の第１溝部１６ａに嵌合するとともに、互いに隣接する他方のアンテナ基板１２−２の凸部１２ｃを支柱１４−１の支持板部１４ｂに形成された溝部１６の第２溝部１６ｂに嵌合することにより、２面分のアンテナ基板１２−１、１２−２の位置だしを一度の作業で行うことがきるようになる。
【００４０】
また、支柱１４−１、１４−２、１４−３、１４−４の柱部１４ａは、アンテナ基板１２−１、１２−２、１２−３、１２−４をベース基板１０６に安定して起立させるために、平坦な４つの側面よりなる略四角柱形状を備えていて、互いに隣接する側面は直交している。この柱部１４ａの側面に対し、互いに直交するようにロ字形状に組み付けられたアンテナ基板１２−１、１２−２、１２−３、１２−４のそれぞれの裏面１２ｄ（アンテナパターン（図３における斜線領域）１２ｅが形成された表面１２ｆの反対側の面であり、互いに直交するようにロ字形状の組み付けられるアンテナ基板１２−１、１２−２、１２−３、１２−４の内方側に位置する面である。）が沿うように配置される。
【００４１】
なお、上記した４つの支柱１４−１、１４−２、１４−３、１４−４のそれぞれの下部には、ケース１０２の下方側から支柱締結ネジ１８をネジ結合させるためのネジ溝（図示せず。）が形成されている。４つの支柱１４−１、１４−２、１４−３、１４−４は、ケース１０２の下方側からネジ溝に支柱締結ネジ１８をネジ込むことにより、ベース基板１０６およびベース１０２に固定されることになる。
【００４２】
なお、符号２０は、支柱締結ネジ１８を挿通するためにベース基板１０６およびケース１０２に設けられた貫通孔である。
【００４３】
以上の構成において、本発明の実施の形態の一例による基板の固定構造を備えた多周波受信アンテナ１０を組み立てるには、まず、ケース１０２の上面１０２ａにベース基板１０６を載置し、ベース基板締結ネジ１０４によりケース１０２とベース基板１０６とをネジ結合して、ケース１０２の上面１０２ａにベース基板１０６を固定する。
【００４４】
次に、以下に説明するような手順により、４枚のアンテナ基板１２−１、１２−２、１２−３、１２−４と支柱１４−１、１４−２、１４−３、１４−４との位置だしを行って、４枚のアンテナ基板１２−１、１２−２、１２−３、１２−４と支柱１４−１、１４−２、１４−３、１４−４とを固定する。
【００４５】
即ち、それぞれのアンテナ基板１２−１、１２−２、１２−３、１２−４のアンテナパターン１２ｅが外側を向き、かつ、ベース基板１０６上に載置された際に支柱１４の側面１４に沿って互いに直交するように隣接配置されるように、４枚のアンテナ基板１２−１、１２−２、１２−３、１２−４を用いてロ字形状を形成することになる。
【００４６】
その際に、例えば、隣接配置された２枚のアンテナ基板１２−１、１２−２について、その一方のアンテナ基板１２−１の凸部１２ｃを支柱１４−１の第１溝部１６ａに嵌合させるとともに、その他方のアンテナ基板１２−２の凸部１２ｃを支柱１４−１の第２溝部１６ｂに嵌合させる。
【００４７】
４枚のアンテナ基板１２−１、１２−２、１２−３、１２−４と支柱１４−１、１４−２、１４−３、１４−４とについて上記と同様な作業を行って、４枚のアンテナ基板１２−１、１２−２、１２−３、１２−４と支柱１４−１、１４−２、１４−３、１４−４とを互いに嵌合させてロ字形状の構造体を形成する。
【００４８】
次に、上記した作業によりロ字形状の構造体としてに形成された４枚のアンテナ基板１２−１、１２−２、１２−３、１２−４と支柱１４−１、１４−２、１４−３、１４−４とを、ケース１０２の上面１０２ａに固定されたベース基板１０６上に載置し、ケース１０２の下方側から支柱１４−１、１４−２、１４−３、１４−４のネジ溝に支柱締結ネジ１８をネジ込むことにより、ベース基板１０６およびベース１０２に４枚のアンテナ基板１２−１、１２−２、１２−３、１２−４と４本の支柱１４−１、１４−２、１４−３、１４−４とを固定する。
【００４９】
なお、４本の支柱１４−１、１４−２、１４−３、１４−４のネジ溝に支柱締結ネジ１８をそれぞぞれネジ込む際には、締結トルクが均等になるようにそれぞれの支柱締結ネジ１８を交互に均等に締め込む。
【００５０】
以上の作業により、従来の技術におけるアンテナ基板位置決めブロックジグ１０８のような位置決めジグを用いることなしに、本発明による基板の固定構造の実施の形態の一例を備えた多周波受信アンテナ１０が構築される。
【００５１】
ここで、多周波受信アンテナ１０においては、アンテナ基板１２−１、１２−２、１２−３、１２−４におけるアンテナパターン１２ｅが形成された表面１２ａが支柱１４−１、１４−２、１４−３、１４−４で塞がれることがないので、電気性能への影響を極力排除することができる。
【００５２】
従って、上記において説明した本発明による基板の固定構造の実施の形態の一例を備えた多周波受信アンテナ１０においては、４枚の起立したアンテナ基板１２−１、１２−２、１２−３、１２−４を簡潔な手法によりベース基板１０６上に略同時に組み立てて略垂直に固定することができるようになる。
【００５３】
そして、多周波受信アンテナ１０によれば、以下に説明するような優れた作用効果が奏される。
【００５４】
イ：構成部品の部品点数を削減して製品の軽量化を図ることができ、製品の軽量化に伴い製品の用途の幅を広げることができる。
【００５５】
ロ：構成部品として単純（シンプル）な同一形状の支柱１４を４本使用することにより、加工費用を削減することができる。即ち、構成部品として安価な共通部品を使用することにより、ローコストかつ安定した品質の部品での組み立てが可能になる。
【００５６】
ハ：アンテナ基板１２−１、１２−２、１２−３、１２−４におけるアンテナパターン１２ｅが形成された表面１２ｆが、アンテナ基板１２−１、１２−２、１２−３、１２−４を支える支柱１４−１、１４−２、１４−３、１４−４で塞がれることがないので、電気性能への影響を極力排除することができる。
【００５７】
ニ：位置決めジグを用いることなしに容易な方法により組み立てることができるため、作業性が良く簡単な作業で組み立てられるので製造上極めて有利である。
【００５８】
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更を行うことができる。
【００５９】
例えば、上記した実施の形態は、以下の（１）乃至（５）に示すように変形するようにしてもよい。
【００６０】
（１）上記した実施の形態においては、本発明による基板の固定構造を多周波受信アンテナ１０を構築する場合に適用したが、これに限られるものではないことは勿論である。即ち、本発明による基板の固定構造は、多周波受信アンテナやその他の種々の装置において、ベース基板に立ち基板を固定する際に適用することができる。
【００６１】
（２）上記した実施の形態においては、支柱１４−１、１４−２、１４−３、１４−４を四角柱形状に形成したが、これに限られるものではないことは勿論である。即ち、支柱１４−１、１４−２、１４−３、１４−４においては、アンテナ基板１２−１、１２−２、１２−３、１２−４を安定して支えるために、アンテナ基板１２−１、１２−２、１２−３、１２−４の裏面１２ｄと接触する面が平坦に形成されていれば良いものであり、例えば、三角柱形状や五角柱形状などの種々の形状に形成しても良い。
【００６２】
（３）上記した実施の形態において、凹部１２ｂと凸部１２ｃとにより凹凸構造を形成するようにしたが、この凹凸構造における凹部１２ｂと凸部１２ｃとの配置を逆にする、即ち、凹部１２ｂに代えて凸部を形成するとともに凸部１２ｃを凹部とし、溝部１６を形成する第１溝部１６ａと第２溝部１６ｂとがＬ字形状に連結されているのではなく、第１溝部１６ａと第２溝部１６ｂとがその延長線が直交する二つに分割された溝で構成されるようにしてもよい。要するに、隣接するアンテナ基板（例えば、アンテナ基板１２−１とアンテナ基板１２−２とである。）が、直交するように溝部１６に対して嵌合可能であればよい。
【００６３】
（４）上記した実施の形態においては、４枚のアンテナ基板１２−１、１２−２、１２−３、１２−４を略長方形状の同一の形状を備えた板状部材により形成したが、これに限られるものではないことは勿論であり、アンテナ基板の形状は全てが同形状ではなく異なった形状であってもよい。。例えば、略長方形状の板状部材と略正方形状の板状部材とが混在するようにしてもよいし、あるいは、略正方形状の板状部材のみで形成するようにしてもよい。
【００６４】
（５）上記した実施の形態ならびに上記した（１）乃至（４）に示す各実施の形態は、適宜に組み合わせるようにしてもよいことは勿論である。
【産業上の利用可能性】
【００６５】
本発明は、ベース基板上に立ち基板であるアンテナ基板を起立させた多周波受信アンテナなどを構築する際に利用することができる。
【符号の説明】
【００６６】
１０    多周波受信アンテナ
１２−１、１２−２、１２−３、１２−４    アンテナ基板（立ち基板）
１２ａ  上面部
１２ｂ  凹部
１２ｃ  凸部
１２ｄ  裏面
１２ｅ  アンテナパターン
１２ｆ  表面
１４−１、１４−２、１４−３、１４−４    支柱
１４ａ  柱部
１４ｂ  支持板部
１６    溝部
１６ａ  第１溝部（第１の溝部）
１６ｂ  第２溝部（第２の溝部）
１８    支柱締結ネジ
２０    貫通孔
１００    多周波受信アンテナ
１０２    ケース
１０２ａ  上面
１０４    ベース基板締結ネジ
１０６    ベース基板
１０８    アンテナ基板位置決めブロックジグ
１０８ａ、１０８ｂ、１０８ｃ、１０８ｄ    側面
１０８ｅ−１、１０８ｅ−２、１０８ｅ−３、１０８ｅ−４    凹溝
１１０−１、１１０−２、１１０−３、１１０−４    スペーサ
１１０ａ  外周面
１１２−１、１１２−２、１１２−３、１１２−４    アンテナ基板
１１４    スペーサ締結ネジ
１１６    受けカバー
１１８    受けカバー締結ネジ
１２０    貫通孔
１２２    貫通孔
Ｈ    アンテナ基板の高さ
【図１】
2019192798.tif 000003
【図２】
2019192798.tif 000004
【図３】
2019192798.tif 000005
【図４】
2019192798.tif 000006
【図５】
2019192798.tif 000007
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
ベース基板に対して立ち基板を固定する基板の固定構造において、
上面部に凹凸構造を備えた立ち基板と、
前記立ち基板の前記凹凸構造と嵌合する溝部を形成した支持板部と前記支持板部の下方側に連接された柱部とを備えた支柱と
を有し、
前記立ち基板を前記支柱の前記柱部に沿わせて配置するとともに、前記立ち基板の前記凹凸構造と前記支柱の前記支持板部に形成された前記溝部とを嵌合させ、前記支柱をベース基板に固定することにより前記ベース基板に対して立ち基板を固定するものであり、
前記凹凸構造は前記立ち基板の前記上面部おける両端部に形成されたものであって、
４枚の前記立ち基板を備え、
４本の前記支柱を備え、
前記支柱の前記支持板部に形成された前記溝部は、直交して配置された第１の溝部と第２の溝部とよりなり、
隣接配置された２枚の前記立ち基板について、一方の前記立ち基板の凹凸構造を１本の前記支柱の前記支持板部に形成された前記第１の溝部に嵌合させるとともに、他方の前記立ち基板の凹凸構造を前記１本の前記支柱の前記支持板部に形成された前記第２の溝部に嵌合させるようにして、前記４枚の前記立ち基板と前記４本の前記支柱とを互いに嵌合させてロ字形状の構造体を形成する
ことを特徴とする基板の固定構造。
【請求項２】
請求項１に記載の基板の固定構造において、
４枚の前記立ち基板は同形状であり、
４本の前記支柱は同形状である
ことを特徴とする基板の固定構造。
【請求項３】
請求項１または２のいずれか１項に記載の基板の固定構造において、
前記支柱の前記柱部の前記立ち基板が沿う面は平坦面である
ことを特徴とする基板の固定構造。
【請求項４】
請求項１、２または３のいずれか１項に記載の基板の固定構造において、
前記立ち基板はアンテナ基板である
ことを特徴とする基板の固定構造。
【手続補正２】
【補正対象書類名】明細書
【補正対象項目名】００４８
【補正方法】変更
【補正の内容】
【００４８】
次に、上記した作業によりロ字形状の構造体として形成された４枚のアンテナ基板１２−１、１２−２、１２−３、１２−４と支柱１４−１、１４−２、１４−３、１４−４とを、ケース１０２の上面１０２ａに固定されたベース基板１０６上に載置し、ケース１０２の下方側から支柱１４−１、１４−２、１４−３、１４−４のネジ溝に支柱締結ネジ１８をネジ込むことにより、ベース基板１０６およびベース１０２に４枚のアンテナ基板１２−１、１２−２、１２−３、１２−４と４本の支柱１４−１、１４−２、１４−３、１４−４とを固定する。